(57)【要約】      （修正有）【課題】グランドピアノの大屋根の開閉が楽になるような高圧ガスシリンダー付アームとピアノの内部奏法の音を出すための装置を簡単に着脱できるようにする。【解決手段】ペタルで制御するミュートブロックとミュートワイヤーとハーモニックブロック、それにピアノ大屋根開閉制御装置を備えたセンターレール２を金具４と５で取り付け、金具４にモーターフラワー５６、アーム付譜面台５９を備える。着脱を簡単にして本来のピアノの機能を損なわなくするシステムを提供する．【選択図】図１
2006023697.tif 000002
【特許請求の範囲】
【請求項１】
モーターフラワーアーム６差し込みホール４Ｆと譜面台アーム５８差し込みホール４Ｅを備えた取り付け金具４をグランドピアノの譜面台ホルダー左７を外しその下左側面に取り付ける右側は同じく譜面台ホルダー右８を外しその下右側面に取り付け金具５を取り付ける。
【請求項２】
アーム取り付けメタル奥２Ｃと手前２ｄ又、高圧ガスシリンダー取り付けメタル２Ｈとアーム固定ネジ穴を備えたセンターレール２を取り付け金具４の４ａ部分にセンターレール２の左ネジ穴２ａ部分をネジ止めし、右側取り付け金具５の５ａ部分にセンターレール２のネジ穴２ｂ部分をネジ止めで取り付ける。
【請求項３】
アーム奥９をセンターレール２のメタル２Ｃにピン９ａで取り付ける。アーム固定ネジ穴１０と固定ネジスプリング１０Ｃを備えたアーム手前１０をセンターレール２のメタル２ｄにピン１０ａで取り付ける。高圧ガスシリンダー１４をセンターレール２のメタル２Ｈに球形ピン１５で取り付ける緩衝部材１３ａを接着し回転土台１３ｃを備えたアームヘッド１３を、アーム９、１０の右端１２高圧ガスシリンダー１４もまとめてピン１２によって取り付ける。
【請求項４】
ブッシングクロス１８ａを備えた軸受１８複数によりセンターレール２の側面２Ｆに取り付けたシュートロッド２４はアーム２４ａとつめ２４ｂを備え、長さ調整アーム２５ｂと一部１２ブッシングクロス２５Ｆを備えたサポート２５を複数取り付ける。シュートバー３５は穴３５ｂとネジ３５ａを備え、サポート２５２本により制御されシュートバー３５はピアノのフレームの仕切の数だけ取り付ける。サポート２５に緩衝部材２５Ｈセンターレール２の２Ｆにサポート２５に対するスプリング２５Ｇ．
【請求項５】
シュートワイヤー４０の下先端にフェルト４１ｂを接着したシュートブロック４１を取り付けてネジ４１ａで固定する、シュートバー３５の穴３５ｂに差し込みネジ３５ａで取り付けるシュートブロック４１は低音用図１２中音用図１３高音用図１４とだんだん小さくなる、
【請求項６】
ホンキーハンクワイヤー４８は下先端にフェルトのような緩衝部材４８ａを備えている。
シュートバー３５のシュートワイヤー４０と取り替えて使用する。ピアノの弦３本の所は左右どちらか１本に低音部で２本の所は左右どちらか１本に弦が１本のところは無し、ホンキートンクワイヤー４８を圧接離間を選択的に又弦に対する押圧力も調整可能である。シュートワイヤー４０とホンキートンクワイヤー４８はピアノの弦４２に対して直角にセットするのが特ちょうである。
【請求項７】
ワイヤー４５ａの両端に鉛４５ｂを接着し、ホース４５Ｆに差し込んだペダルワイヤー４５の鉛をシュートロッド２４のアーム２４ａのつめ２４ｂにひっかけてホース４５Ｆをセンターレール２の２Ｆに取り付けたサポート４５ｄにホース４５Ｆを止めてつめ２４ｂとサポート４５ｄの間のワイヤー４５ａに巻きつくようにスプリング４５ｃを装着する．
【請求項８】
すべり止め４６Ｎを接着した台４６ｄに２本の取り付けメタル４６ａにピン４６ｂにより取り付けたペダル４６はピン４６ｃで取り付けたスプリング４６Ｌを設け、ペダルスクリューサポート４６Ｉをペダル４６の後下側に取り付ける、ペダル高さ調整ネジ４６Ｆをペダル４６の後に取り付けてネジ４６の下先端に円盤溶接ナット４６０を装着スクリューサポート４６Ｉにフェルト４６Ｍにナット４６０が接触するようになっている、ペダル４６の後側のネジ４６Ｆのさらに後側にネジ４６Ｇより大きめの穴を開けてその回りにフェルト４６Ｈを接着する、ネジ４６に大きめのワッシャーを接着してペダル４６の穴からその下のスクリューサポート４６Ｉに取り付ける。スクリューサポート４６Ｉにつめ４６Ｊを備えるこのペダル４６に接続するワイヤーはつめ４６Ｊ鉛４５ｂをひっかけてホースホルダー４６１ｘの所にホーススクリュー４５Ｈを止めてホースナット４５Ｇでワイヤー４５ａの長さを調整する。このペダル４６の動作がシュートロッド２４及びハーモニックロッド４９の運動を制御する．
【請求項９】
センターレール２の側面２Ｇにつめ付アーム４９ａを備えたハーモニックロッド４９をブッシングクロス４９Ｃを備えた軸受４９ｂ複数で取り付ける、軸受４９ｂの場所はピアノのフレーム４つの仕切部分の上が望ましい。フェルト５２ａを備えたハーモニックブロック５２をネジ５２ｂで取り付けたハーモニックワイヤー５０ａをハーモニックバー５０のホール５０ｃに差し込んでネジ５０ｂで固定する。これをピアノの弦４２に沿うように又、ピアノの弦４２の数だけ取り付けたハーモニックバー５０はピアノのフレームの仕切りに合わせて複数に分けて、ハーモニックバー５０１本に対してブッシングクロス５１ｂを備えた軸受５１を２本か３本づつでセンターレール２の２Ｇの所に取り付ける．ハーモニックロッドサポート５３をハーモニックバー５０の数だけハーモニックロッド４９にネジ５３ａで固定し、ハーモニックバーサポート５４も、ハーモニックバー５０にそれぞれネジ５４ａで固定する．ハーモニックロッドサポート５３の先端５３ｂとハーモニックバーサポート５４の先端５４ｂはどちらかに切り込みを入れて、切り込みの無い方に雑音防止の為の緩衝部材を接着し５３ｂと５４ｂが接着するように調整取り付けする、これがハーモニックロッド４９からハーモニックバー５０への運動の伝達となるさらに、アーム４９ａのつめに鉛５５ｂをひっかるように取り付ける．ハーモニックペダルワイヤー５５ａ、又ワイヤーホース５５Ｅをワイヤーサポート５５ｄに止めて、アーム４９ａ、ワイヤーサポート５５ｄの間のワイヤー５５ａに巻きつくようにスプリング５５ｃを取り付ける。ハーモニックバー５０のホール５０に差し込んだハーモニックワイヤー５０ａが反対側につき出た部分におもり７０を差し込むネジ７０ａで固定これは、選択的に取り付けても良い。
【請求項１０】
モーター５６ａに回転テーブル５６ｂを装着回転テーブルに複数の穴５６Ｃか有羽根５６Ｅを付けたワイヤー５６ｄを複数差し込む、モーターアーム６の６Ｆにモーターａを装着、アーム６ｂにアーム６ｄを差し込み長さを調整し、ネジ６ｃで固定アーム６ｂ部分が直角で下に曲けるか、直角で下にパイプを装着しセンターレール取り付け金具４のメタル４Ｆに差し込む  モーター５６ａの電線はアーム６の中を通り６ａ部分より出るようにしてボリュームペダル５７に接続する、ボリュームペダル５７は、踏み込むと電源が入りさらに踏み込むと電圧が上がり、又元にもどすと電源が切れる．モーター５６ａはボリュームペダル５７に制御される．
【請求項１１】
譜面台５９の後側に回転メタル６０ａを装着サポート６０にネジ６０ｂで角度調整して固定アーム５８のサポート５８ｃのホルダー５８Ｉにサポート６０を差し込み長さと左右の傾きを調整してネジ５８Ｊで固定、サポート５８Ｃに２本のピン５８Ｈで取り付けたアーム５８Ｆと５８Ｇは中間サポート５８ｂにピン５８Ｈ２本でそれぞれ取り付け、さらにサポート５８ｂにもう２本のピン５８Ｈによりアーム５８Ｅと５８ｄを取り付けサポート５８ａにピン５８Ｈ２本で取り付ける．サポート５８ａの下にパイプ５８Ｋを装着し、センターレール取り付け金具４の差し込みホール４Ｅに差し込む。アームＥのつめ５８Ｌからアーム５８ｄのつめ５８Ｍまでスプリング５８Ｐを装着し、アーム５８Ｆのつめ５８Ｎからアーム５８Ｇのつめ５８ｏまでスプリング５８Ｐを装着
【請求項１２】
ピアノ高音部用ワイヤーガイドホルダー６９、取り付けネジ穴６９Ｅは横に細長いワイヤーホール６９Ｇにクロスかプラスチックのブッシング６９ｄを装着側面６９上に押さえネジ６９Ｃを備えるワイヤーガイドホルダー６９の材質は形状記憶合金。尚ワイヤーホール６９Ｇをローラー６９Ｈに変更可能。
【請求項１３】
ブッシングクロス付き軸受により回転運動が自由になったバーの左右ずれ防止のための固定リング６８。ネジ６８ａて締め付けるように固定。
【請求項１４】
センターレール２の取り付け金具外付用左６１でそのうら側６１ａにフェルトを貼るアダプター金具６２でうら側６２ａにもフェルトを貼る。右側金具６３。そのうら側にフェルト貼り、アダプター金具６４、そのうら側にもフェルトを貼る、ピアノの譜面台ホルダー左右にアダプター金具６２と６４を取り付けて金具６１と６３をそれぞれかぶせるように取り付けてネジ穴６１ｂと６１ｃ又ネジ穴６３ｂと６３ｃからアダプター金具６２と６４を押さえつけるようにネジで締めて取り付ける．金具６１にはホール４Ｆとホール４Ｅが付いている。
【請求項１５】
ワイヤー固定リング６７内側にゴムのようなすべ止め６７Ｃを装着．ホール６７ｂがリングの内側に接触するように開いていてネジ６７ａワイヤーとシュートバー３５とリング６７自身を同時に固定
【請求項１６】
ワイヤーホルダー７２付固定リング７１。ネジ７２ａ、ホール７２ｂ、ワッシャー７２Ｃ、ピン７２ｄ、ピンネジ穴７２Ｅ、取めネジ又はクギ７２Ｆを備えた、ワイヤーホルダー７２を、ネジ７１ａと、ピンホール７１ｂと、ピンホールブッシングクロス７１Ｃを備えた固定リング１を図４１のように組み立てる。
【請求項１７】
ネジ７３ａと穴７３ｂを備えたグラムウェート７３、シュートワイヤー４０又はホンキートンクワイヤー４８のシュートバー３５の上につき出た部分に差し込んでネジ７３ａで固定する。
【請求項１８】
ワイヤー差し込み穴７４Ｆとワイヤー固定ネジ７４Ｍを備えたワイヤーホルダー７４Ｇを、固定ネジ７４Ｌを備えた先端７４Ｈの穴７４Ｉに差し込んで固定ネジ７４Ｋで取り付けたサポート７４Ｎはサポート本体７４ａに差し込むように取り付けてあるため長さが調整可能。サポート本体７４ａの下に、緩衝部材７４ｄ付ボタン７４Ｅを備えたスプリング７４Ｃを装着したテール７４ｂを装着し穴７４Ｏをシュートロッド２４に差し込んで必要な場所にネジ７４Ｊで固定する、単一用サポート７４。
【請求項１９】
横ずれ防止に使用する軸受１８及び４９ｂと固定リング６８の内側図４８と図５０のようにはみ出すように接着するパッキン７５。
【請求項２０】
畜光剤を混合して作ったコピー用紙。
【発明の詳細な説明】
【技術分野】
【０００１】  本発明はピアノ用大屋根開閉制御付プリペアドシステムに関する
（背景技術）【０００２】  従来は、グランドピアノの大屋根は重く、自身の手によって開閉していた、又ピアノの内部の枠や弦を直接操作する内部奏法。またピアノの弦にボルト、ゴム、木片等のいろいろな物を挟み込んでおいて打鍵したときに普通のピアノとは異なる音響を生じるようにしたプリペアド・ピアノがあった【０００３】（実用新案文献１）
実願昭５８−６２３９３  グランドピアノの減音装置
（発明の開示）
（発明が解決しようとする課題）【０００４】  これには次のような欠点があった
（ア）グランドピアノの大屋根は大変重く子供や非力の女性が開閉を行うに当っては大変手間がかかり、また非常に危険がつきまとう作業である。
（イ）ピアノの弦に異物を挟んだり直接内部の弦などを操作するため手の汚れなどがついたりして、本来のピアノの精密な調整に悪影響があるばかりでなく汚れによりサビや虫食いの原因にもなる
（ウ）実願昭５８−６２３９３は本発明のシュート部分に似ているが、欠点として、装置をピアノのフレームに直接取り付けている。ピアノのフレームいわゆる鉄骨は、ピアノの音の響きの中でも重要な部分であるため、あらゆる装置は接触しない方が良いのだ。
音を減音させるためのダンパーのワイヤーは横から付いているため、直接指で弦を押さえつけるほどの減音効果は難しく、全体的にダンパーの止音位置に完全な統一性が無かった．鳴っている弦を止音する時は問題ないが、ダンパーの弦に対する圧力を緩めたとき、つまり減音の時、ダンパーの位置によっては、倍音である部分音が強調されるのだ、ピアノの弦４２ａの端の方はほとんど部分音は発生しないがダンパーを弦４２ａの中央部分に移動させるとだんだんに部分音の発生が多くなる。
演奏者がこの部分を必要としなければたちまち耐えがたい雑音となってしまうのだ。尚、この装置は着脱可能となっているが、着脱はもっと簡単にすべての装置を外せるような設計にしておかないと本体のピアノの調律及び修理の時大変手間がかかってしまう。
（課題を解決するための手段）【０００５】  グランドピアノの大屋根の開閉が楽になるように高圧ガスシリンダー付アームを取り付けてピアノの内部奏法の音を出すための装置を発明し、これらの装置すべてを簡単に着脱出きるような設計にする【０００６】  ピアノの響板３１及びフレーム４７、側板１ａなど音響に関係すると思われる部分には接触しない設計にする。プリペアドシステムのシュート部分のシュートブロックを支えるワイヤーは弦に対して直角になるような設計にする。そうすると少しの力で弦をシュートしても、直接弦を指で押えつけるほどの止音効果が得られるのだ【０００７】  弦４２を少しシュートさせるには弦４２ａのなるべく端の方が効果があるが完全な行き詰まるような音にするには弦の中央寄りにシュートブロックを移動させると効果がある、しかし、余計な部分音の発生も増えてくる、弦４２ａの長さに合せた緩衝部材の大きさと止音するための圧着装置を全体に統一性を持たせて、最終的には演奏者の好みにより精密な調整により完成する．
（発明の効果）【０００８】  精密な調整済みのピアノに取り付けても悪影響を最小限に押えられる事により、より大くの人々にプリペアド・ピアノの音の響きを楽しんでもらう事が出来る。又高圧ガスシリンダー付アームも付くことにより大屋根の開閉が楽になるだけでなく、プリペアドシステムに対する安全対策も兼ねる。
（発明を実施するための最良の形態）
（実施列１）【０００９】  以下発明の実施列について説明する
図１は、本発明の全体図である。【００１０】  センターレール２を取り付けるための金具４と５は左右のピアノの譜面台ホルダー７と８の下に取り付ける。その時、譜面台ホルダー７、８を外す、金具４は左側で上の手前に折れ曲りの４ｄと奥の折れ曲り４ａがあり下は手前から奥までの折れ曲り４６になっていて４６は下に密着するように取り付ける、右側金具５は上の奥が折れ曲り５ａになっていて下は手前から奥までの折れ曲り５ｂになっていて５ｂは下に密着するように取り付けるそれぞれネジ４ｃとネジ５ｃで取り付けする。ピアノの譜面台ホルダーのネジ穴を使用して取り付けても良い。【００１１】  取り付け金具４はセンターレール取り付け部分４ａの所にモーターフラワーアーム６差し込みホール４Ｆを設け、手前上の折り曲りプレート４ｄの所には譜面台アーム５８差し込みホール４Ｆを設ける。【００１２】  センターレール２を左の取り付け金具４の４ａ部分とネジ穴２ａをネジで止めて、右の取り付け金具５の５ａ部分とセンターレール２のネジ穴２ｂをネジで止めて取り付ける。センターレール２は、左から右にだんだん細くなっていて、左側にはアーム取り付けメタル奥２ｃとアーム取り付けメタル手前２ｄを設けるアーム固定ネジ穴２Ｅと高圧ガスシリンダー取り付けメタル２Ｈを設ける。アーム奥９をセンターレール２のメタル奥２ｃにメタルピン９ａで取り付け、アーム手前１０をセンターレール２のメタル手前２ｄにメタルピン１０ａで取り付けるそして高圧ガスシリンダー１４をセンターレール２のメタル２Ｈに球形ピン１５で取り付ける。【００１３】  アーム奥９の９ｂ部分とアーム手前１０の１０ｂ部分が、センターレール２と平行になっていて、それぞれ途中から奥の方へ少し曲がっている。アーム右端にはアームヘッド１３の回転土台１３ｃがピン１２によって取り付けてありそのピンに高圧ガスシリンダー１４の先端もいっしょに取付けてある、それぞれアームヘッド取り付けピン１２に対して回転する動きが出来るように取り付ける。又高圧ガスシリンダーの足元はセンターレールに高圧ガスシリンダーメタル１５で取り付けし、この部分は球形のピンのため、アーム９と１０の動きに自由について行ける【００１４】  アーム１０中央部分より固定ネジ１１を差し込んでセンターレールネジ穴１０に取り付ける、使用しない時、高圧ガスリリンダー１４の暴走防止のためである。尚、アーム１０とセンターレールの間、固定ボルト１１に巻き付くスプリング１０ｂを装着する。このアーム９、１０の上がる力である高圧ガスシリンダーは少し持ち上がらないと作動しないため。【００１５】  アーム９と１０は図７のように高圧ガスシリンダー１４により持ち上げるように動き、アーム９ｂと１０ｂが、平行のため図８のようにピアノの大屋根１６を持ち上げる時、途中で外れることが無い、又アームヘッド１３にはすべりの良い緩衝部材１３ａを接着しているため大屋根１６を傷つけることが無い。【００１６】  次は、プリペアド・システムのミュート部分である、図１０で、センターレール２の２Ｆの部分にミュートロッド２４を軸受１８で、ネジ１８ｂにてピアノのフレームの仕切りに合わせて図１のよう取り付ける。図９の１８ａの場所にフェルトを編み込んだク���スを貼ってあるため、このミュートロッド２４は軸受１８に対して回転運動が自由に出来る。又、ミュートロッド左端２４ｃの所はアーム２４ａの左右に軸受１８を装着する。この部分の補強と、左右にずれを防ぐため。【００１７】  ミュートロッド２４にミュートバー３５を動かすためのサポート２５を設置する。サポート２５は、ミュートロッド２４に対してネジ２５ｃで固定する。そして２５ａに対してアーム２５ｂは、さし込みになっているため、長さを調整した所でネジ２５ｄで固定する。そして、ミュートバー３５もサポート２５のネジ２５Ｅで固定する、これをミュートバー３５  １本に２ヶ所設置し、図１のようにピアノのフレームの仕切りに合わせて全体に設置する又、センターレール２の２Ｆにサポート２５に対するスプリング２５Ｇとサポート２５に緩衝部材２５Ｈを装着する、これは、選択的に取り付けても良い。【００１８】  ミュートバー３５は、本体のピアノのフレーム４７の仕切りに合わせて取り付けるため、仕切りの数でミュートバーを決める、そして仕切りの間にミュートロッド２４の軸受１８を設置するためピアノによってミュートバーの数と軸受の数が変ってくる。【００１９】  ミュートバー３５には、それぞれピアノの弦４２に合せて穴３５ｂを開けて、ミュートワイヤー４０を差し込み、下の先には、ミュートブロック４１を取り付けネジ４１ａで固定する。ミュートブロック４１にはフェルト４１ｂを接着してある。ミュートブロックは図１０のようにアグラフ４３の奥側の上に位置するように、ミュートバー３５のネジ３５ａでミュートワイヤー４０を固定する又ミュートブロック４１は図１２のピアノの低音用から図１３中音用図１４の高音用とだんだん小さくなる図２０のように場所が狭くなるのと、弦が短かくなるため。【００２０】  ミュートロッド２４の左端にはアーム２４がありさらにその先端には２本のつめ２４ｂがあり、ここにペダルワイヤー４５ａの先端の鉛４５ｂをひっかけるように取り付ける。【００２１】  ペダルワイヤー４５はワイヤー４５ａをペダルワイヤーホース４５Ｆに差し込むような構造になっている。ワイヤー４５ａの鉛４５ｂは、ミュートロッド２４のつめ２４ｂにひっかかり、ペダルワイヤーサポート４５ｄのつめ４５Ｅの下にペダルワイヤーホース４５Ｆを止められるように取り付けてある。ミュートロッド２４ａとワイヤーサポート４５ｄの間にはワイヤー４５ａに巻きつくようにスプリング４５ｃを装着する。図１０でミュートワイヤー４０は４０ａのように弦に合わせるため、ワイヤーを曲げて調整も出来る。【００２２】  ペダルワイヤー４５は、４５Ｊから、図２１のペダルワイヤー４５Ｉにつづき、ワイヤーペダルと接続する。【００２３】  図２１でワイヤーペダル４６は取り付けメタル４６ａに取付けピン４６ｂによって取り付ける。取り付けピン４６ｂによりペダル４６は、シーソー運動が出来るようになっている。取り付けメタル４６ａの、ピン４６ｃにペダルバネ４６Ｌを装着する。ペダル４６の後側にペダルの高さ調整ネジ４６Ｆを装着し、スクリューサポート４６Ｉのフェルト等の緩衝部材４６Ｍにネジ４６Ｆの下側先端が、接触する。そして、ペダル４６のネジ４６Ｆの後にネジ４６Ｇより少し大きめの穴を開けて、その穴から下のスクリューサポート４６Ｉにネジ４６Ｇを取り付ける。ネジ４６Ｇは大きめのワッシャーを接着してあり、ペダル４６にフェルト等の緩衝部材４６Ｈを装着する。ペダルの運動具を調整する仕組みである。ペダル４６の下にはゴムのようなすべり取め４６Ｎを装着する。ペダル４６は置き場所を自由に変えられる。ネジ４６Ｆの、下部分に円盤状の鉄板を溶接したナット４６０を取り付けると、フェルト４６Ｍを傷めにくくなる。【００２４】  ペダルワイヤー４５の、ペダル４６Ｋの所に、ワイヤーホーススクリュー４５Ｈが付きワイヤーホースナット４５Ｇをその上に取り付ける、これがワイヤーホース４５Ｆの長さの調節となる。鉛４５ｂはスクリューサポート４６Ｉのつめ４６Ｊにひっかけるように取り付ける。【００２５】  このミュート部はワイヤーペダル４６により制御される。ペダル４６を踏むことによりミュートロッド２４が回転運動して、サポート２５とミュートバー３５を介してミュートワイヤー４０を押し下げて、ミュートブロック４１のフェルト４１ｂが弦に接触する。又、接触する強さもペタル４６で調整出来る。ピアノ演奏者は、延び悩む音から行き詰まるような音まで自由に出せる。又、ミュートバー及びミュートワイヤーはそれぞれ調整出来るため、部分的に作動することも可能である。【００２６】  次はホンキートンク部である。ミュート部のミュートワイヤー４０を取り外し、ホンキートンクワイヤー４８を差し込む、ホンキートンクワイヤー４８の下部には緩衝部材４８ａを装着してある。図１７のようにミュート部の一部をそのまま使用する。【００２７】  ピアノの弦４２は最低音は、１本で高音部に行くにしたがい２本になり中・高音部はすべて３本である。ホンキートンクワイヤー４８は弦４２が２本以上の場所で使用する、弦が２本の場所は片方１本に３本の場所は左右どちらか１本。アグラフ４３の弦が振動する方へ少々、その上図１７のようにセットする。【００２８】  ワイヤーペダル４６の操作により、ミュートバー３５が下がりホンキートンクワイヤー４８が弦２本の所は１本に、弦が３本の所は１本に接触するとホンキートンクワイヤー４８が接触した弦だけが、振動する長さが少し短かくなり、音か狂ったように聞こえる。図１９のようにホンキートンクワイヤーが弦に接触する時、フェルト等の緩衝部材４８ａが、雑音防止になる。尚アグラフ４３からどのくらいの所にホンキートンクワイヤー４８を接触させるかは音を聞きながら演奏者の好みによって調整する。【００２９】  ピアノの弦は張力が強く途中で弦の振動を分断するためには、弦に対してホンキートンクワイヤー４８を直角に接触させる。尚ホンキートンクワイヤー４８は差し支え無い程度で、出来るだけ長い方が効果がある。又図１９のようにグラムウェート７３を取り付けるとより効果がある。【００３０】  次はハーモニック部図２４である。センターレール２の２Ｇの所に、ハーモニックロッド４９を取り付けるための軸受４９ｂをピアノ本体のフレーム４７の仕切りに合わせて複数取り付ける。この軸受４９ｂには内側にフェルトを編み込んだクロス４９ｃを貼ってあるため、取り付けたハーモニックロッド４９は回転運動が自由に出来る。又つめ付アーム���９ａの左右に軸受４９ｂを装着。この部分の補強と左右にずれるのを防ぐため。【００３１】  ハーモニックバー５０を取り付けるための軸受５１を、センターレール２の側面２Ｇに取り付ける。ピアノのフレーム４７の仕切の数だけ、図１の場合はバー５０を４ヶ所、それぞれ２ヶ所づつ取り付ける。軸受５１の５１ａの５１ｂはフェルトを編み込んだクロスを貼ってあるためハーモニックバー５０は回転運動が自由に出来るようになっている、又最高音部はピアノの弦の場所のため図２０のようにハーモニックバー５０の軸受５１はセンターレール２の下にもぐり込むような形になる。尚、バー５０の左右のずれ防止のため固定リング６８を図２４のように、一つのバーの軸受５１の左側は左に、右側は右に、ネジ６８ａで締め付けるように固定する。【００３２】  ハーモニックバー５０には、ピアノの弦の並びに合わせて、穴５０ｃにハーモニックワイヤー５０ａを差し込む、バー５０の反対側につき出た方に、おもり７０を差し込んでネジ７０ａは固定用ハーモニックワイヤー５０ａにフェルト等の緩衝部材５２ａを備えたハーモニックブロック５２を差し込んで、ネジ５０ｂは固定用。これらを弦の数だけ取り付ける。おもり７０とブロク５２は場所の移動が自由。おもり７０は、ハーモニックバー７０のバランスを良くして動きを制御しやすくするためのもので、選択的に取り付けても良い。【００３３】  ハーモニックバー５０の動きを制御するため、ハーモニックバーサポート５４を取り付けてネジ５４ａで固定する。一方ハーモニックロッド４９にもハーモニックロッドサポート５３を取り付けしてネジ５３ａで固定するサポート５３の５３ｂの部分とサポート５４の５４ｂの部分はどちらかに切り込みが入るように接触する。切り込みの無い方にフェルト等の緩衝部材を貼り運動の伝達に雑音が出ないようにする。このサポートの連結はフレーム４７の仕切りに合わせて取り付けたハーモニックバー５０にそれぞれ、１ヶ所か２ヶ所づつ取り付ける。【００３４】  ハーモニックロッド４９のピアノ本体の鍵盤側から見て左側にはつめ４９ａがついていて、ハーモニックペダルワイヤー５５ａの鉛５５ｂを取り付ける。ペダルワイヤーホース５５Ｅはセンターレール２の２Ｇに取り付けられたハーモニックワイヤーサポート５５ｄに止められるように取り付ける。ペダルワイヤーサポート５５ｄとハーモニックロッドのつめ４９ａの間には、ペダルワイヤー５５ａに巻きつくように、スプリング５５ｃを装着する。【００３５】  ハーモニックペダルワイヤー５５は図２４の５５Ｆ部分から図２１のペダルワイヤー４５の４５Ｉへとつづきもう一台のワイヤーペダル４６へ接続する。ハーモニックバー５０の動きはワイヤーペダル４６の運動量にすべて制御される。【００３６】  ピアノ演奏者は、ワイヤーペダル４６の２台目を使用してハーモニック部を操作するピアノの弦の２分の１又は４分の１か８分の１の場所の上にハーモニックブロック５２をセットする、これは演奏者の好みで決めるため部分的に使用することも可能である。ピアノの弦を鳴らす時に少し弦４２に刺激を与えるようにペダルを踏むと弦４２の倍音の部分音が強調されて、普通のピアノとは異なった響きが得られる。尚ハーモニックブ���ック５２の他に、好みで鉄板、木片、ゴム、片等取り付けても良い。【００３７】  次はビブラート部である。センターレール取り付け金具４にはモーターフラワー５６取り付けメタル４Ｆがありここに差し込めるようにアーム６の６ａ部分を直角に折り曲げるか、直角に下方に取り付けメタル４Ｆより細めのパイプを装着し４Ｆに差し込む、モーターフラワーアーム６は取り付けメタルを支点として自由に回転運動が出来る。さらに、アーム６ｄ部分を６ｂに差し込んで、６ｃのネジで固定するためアーム６の長さが自由に調節出来る。アーム６の先端６Ｆの部分にモーターフラワー５６を装着する。
尚、アーム６ｄにアーム６ｂを差し込むようにしても良い。【００３８】  モーターフラワー５６はモーター５６ａの上に回転テーブル５６ｂを装着し、回転テーブル５６ｂには色々な角度で取り付け出来る穴５６ｃをあけて羽根ワイヤー５６ｄを差し込めるようにする、羽根ワイヤー５６ｄの上先端には色々な形の羽根５６Ｅを取り付ける。モーター５６ａの回転速度は図３０のボリュームペダル５７にて制御する５７ａが下の時は電源が切りの状態で５７ｂの方を少し下げると電源が入りさらに踏み込むと電圧が上がりモーターの回転速度が上がるようになっている。【００３９】  ボリュームペダル５７は下に、ゴム等のすべり止め６０ｃが付いていて場所を自由に変えられる又、モーターフラワー５６の電気の配線６Ｅはアーム６の中を通って、アーム６ａの所から出るようになっている、図２７の電気コード６Ｅの６Ｆ部分が図３０ボリュームペダル５７の５７ｄ部分へと続く。【００４０】  ピアノ演奏者は、ボリュームペダル５７を操作してモーター５６ａを回転させるとピアノの音にビブラートがかかる。羽根５６Ｅの数と形、又モーターフラワーの位置は演奏者の好みで自由に変えられる。【００４１】  次はこのシステムのためのピアノの譜面台である。センターレール取り付け金具４の手前プレート４ｄに譜面台アーム差し込みホール４Ｅを備える。譜面台アーム５８のパイプ５８Ｋをホール４Ｅに差し込むと、取り付けホール４Ｅを支点として譜面台アーム５８が回転式に自由に動く。【００４２】  図２８で譜面台アーム５８は、取り付けサポート５８ａに、ネジピン５８Ｈ２本により、取り付けアーム上５８Ｅと取り付けアーム下５８ｄが装着。中間サポートに取り付けアーム上５８Ｅ、下５８ｄが、ネジピン５８Ｈで取り付ける。中間サポートからさらに２本のネジピンＨにて譜面台アームの上５８Ｆ、下５８Ｇを取り付けて、譜面台サポート５８ｃに２本のネジピンＨで、譜面台アームの上５８Ｆ、下５８Ｇを取り付けける。又、アーム５８Ｅのつめ５８Ｌからアーム５８ｄのつめ５８Ｍまでスプリング５８Ｐを装着し、アーム５８Ｆのつめ５８Ｎからアーム５８Ｇのつめ５８Ｄまでスプリング５８Ｐを装着する。【００４３】  この２本のスプリング５８Ｐが全体の重さに対抗する。ネジピン５８Ｈを必要以上に強く締め付けなくても良い。【００４４】  図２９で譜面台５９の後側に回転メタル６０ａを装着する、譜面台サポート６０に対して譜面台５９の角度を調節してネジ６０ｂで固定する。譜面台サポート６０は譜面台アーム５８のアーム譜面台サポート５８ｃのホルダー５８Ｉに差し込み、左右の傾きと譜面台５９と譜面台サポート５８ｃとの距離を調節してネジ５８Ｊで固定する【００４５】  ピアノ演奏者はこの譜面台５９を、自由に移動が可能で、譜面台５９の角度と傾きは変わらないのが特長である。【００４６】  ピアノの高音部は図２０のようにアグラフ４３が無く、その変わりにフレーム４７のベアリング部分４７ａになっているミュートブロック４１及びホンキートンクワイヤー４８の先端部分の弦に接触する位置を中・低音部と同じように統一性をもたせるために、ワイヤーをベアリング４７ａ側に曲げて、尚かつ、図１５、図１６のワイヤーガイドホルダー６９が必要である。【００４７】  ピアノ高音部のミュートバー３５はミュートサポート２５の固定ネジ２５Ｅを外しブッシングクロス２５Ｆを装着する。ミュートバー３５が回転運動が可能になる。そして両方の、ミュートサポート２５のアーム２５６先端の左右ミュートバー３５側は固定リング６８を装着、ミュートバーが左右にずれるのを防止する。【００４８】  ワイヤーガイドホルダー６９はセンターレール２にネジ６９ｂで固定する、ワイヤーガイドホルダー６９の取り付けネジ６９のネジ穴６９Ｅは、横に細長いため左右の位置を調節出来る。ワイヤーホール６９Ｇにワイヤーブッシング６９ｄが有これはクロスかプラスチークなど、まさつを押えて雑音が出ないものを使用するワイヤーガイドホルダー６９の側面６９Ｆにネジ６９Ｃを装着、センターレール２の側面２Ｆを押し込むように取り付けられていてセンターレールの側面２Ｆに穴が無いため強くしめつけるとワイヤーガイドホルダーのワイヤーホール部分が手前の方にゆがむ。又ネジ６９Ｃをゆるめれば奥側へと元るため、ワイヤーホールの前後の調節ネジとなる。そのためワイヤーガイドホルダー６９の材質は形状記憶合金がふさわしい。
（実施例２）【００４９】  図３４、図３５はセンターレール２の取り付け金具の外付用である金具６１のうら側６１ａにフェルトを貼り、譜面台ホルダー８の形に合わせたアダプター金具６２のうら側６２ａにもフェルトを貼る。アダプター金具６２を付けて、取り付け金具６１をその上からかぶせるように取り付けてネジ穴６１ｂと６１ｃにネジでアダプター金具６２を押えつけるように締めつける、フェルトがあるためピアノには傷が付かない、右側も同じくアダプター金具６４と取り付け金具６３のうら側にフェルトを貼りアダプター金具６４を付けて取り付け金具６３をその上からかぶせるように取り付けてネジ穴６３ｂと６３ｃよりネジでアダプター金具を押えつけるように締めつけて取り付ける。【００５０】  図３６のような譜面台ホルダー６６のようにポール６６ａをコの字状に差し込んであるものはアダプター金具６５のようにポールの所に穴６５ｂをあけてうらにフェルトを貼る。そのアダプター金具６２を譜面台ホルダー８に付けてその上からかぶせるように取り付け金具６１を取り付けてネジ穴６１ｂと６１ｃからアダプター金具６２を押えつけるように締めつけて取り付ける【００５１】  譜面台ホルダー７と８が取れない場合あるいは、取りたくない場合はこの方法を使う。【００５２】  次はワイヤー固定リング６７であるリングの内側にはゴム６７ｃを貼りホール６７ｂがリングの内側に接触するように開いているネジ６７ａでワイヤーとミュートバーを固定しリングも同時に固定出来る。【００５３】  図３９のようにミュートバー３５に、穴を開けなくてもワイヤーの取り付けが可能になる個々の調整が可能で実際の取り付けにはこの様な予備部品が必要になる事が多い。【００５４】  図４０のように、ミュートロッド２４に直接リンク６７を取り付けることも可能である。ここでは高音部のため、ワイヤーガイドホルダー６９が必要となる。そのためワイヤーホール６９Ｇの変わりに、ローラー６９Ｈを装着する、ミュートロッド２４が回転運動によりリング６７に固定されたワイヤー４０がローラー６９Ｈに接触しながら下方に動くため、少しづつワイヤー４０が曲るのである。ピアノの高音部すべて、この様な状態でもローラー６９Ｈが、曲がるワイヤー４０の反発抵抗を緩和してくれる。【００５５】  又、ワイヤーホルダー７２付固定リング７１を使用すればワイヤーガイドホルダー６９のホール６９Ｇを使用出来る。ワイヤーホール７２ｂにワイヤー４０又は４８を入れてネジａで固定、ピン７２ｄを備えたワイヤーホルダー７２，ミュートロッド２４に差し込みネジ７２ａで固定、ピンホール７１ｂとピンホールブッシングクロス７１ｃを備えた、固定リング７１。ワイヤーホルダー７２のピン７２ｄを固定リング７１のピンホール７１ｂに差し込んで、止めネジ又はクギ７２Ｆを取り付けて完成である【００５６】  図１９でネジ７３ａと穴７３ｂを備えたグラムウェート７３は、グラム数を標示したおもりで、ミュートワイヤー４０又はホンキートンクワイヤー４８のミュートバー３５の上につき出た部分に差し込んでネジ７３ａで固定する。これは、実際取り付けてみて好みで使用する。数が多くなれば、全体の重さも重くなるので、サポート２５に対するスプリング２５��をすべてのサポート２５に付ける必要がある。【００５７】  演奏者の好みで単一の、ミュートブロック４１及びホンキートンクワイヤー４８の作動方法も必要である。図４４のように個別に装着出きる。サポートセット７４は本体７４ａの下にテール７４ｂを装着し、そこにスプリング７４ｃを備えその先に緩衝部材７４ｄ付スプリングボタン７４Ｅを装着する。ワイヤーを差し込む穴７４Ｆと、ワイヤー固定ねじ７４Ｍを備えた、ワイヤーホルダー７４Ｇを、サポート先端部分７４Ｈの穴７４Ｉに差し込んでネジ７４Ｌはワイヤーの角度を決めた後に固定するものである。サポート７４Ｎ部分はサポート本体７４ａに差し込んで長さを調整できるようになっていてネジ７４Ｋで固定するサポートの穴７４Ｏをミュートロッド２４に差し込んで必要な場所にネジ７４Ｊで固定する。【００５８】  単一のサポートセット７４は１ヶ所から全体にも取り付け可能である。図４５のようにスプリング７４ｃにより、グラムウェート７３付、ワイヤーにより、重くなっても、全体のバランスを取り、作動を制御しやすくなる。【００５９】  ミュートロッド２４のアーム２４ａの左右と、ハーモニックロッド４９のアーム４９ａの左右に取り付けた、それぞれ２ヶづつの軸受１８、及び軸受４９ｂは補強と左右のずれ防止のためである。そのため、それぞれの軸受のネジ穴を左右に細長く開けておくと、実際の取り付けの時、位置の微調整が出来る。【００６０】  そして、軸受１８と４９ｂのブッシングクロス１８ａと４９ｃの変わりにパッキン７５を接着する又、固定リング６８も内側にパッキン７５を接着する。パッキン７５の材質は形がくずれにくく、すべりが良く、金属との接触で雑音が出ないプラスチック製が望ましく、図４８及び図５０のように、少しはみ出すように接着する。横ずれ防止のため、接触した時に雑音が出なく、すべりが良いため。【００６１】  蓄光剤を混合して作ったコピー用紙７６、本発明の譜面台５９に必要な楽譜をこのコピー用紙７６にコピーすれば暗い所でも演奏が可能である。
【図面の簡単な説明】
【００５４】（図１）
本発明をグランドピアノに装着した全体図である
（図２）
本発明のセンターレール取り付け金具左側の斜視図である
（図３）
本発明のセンターレール取り付け金具右側の斜視図である
（図４）
本発明のセンターレールの斜視図である。
（図５）
本発明のセンターレールに高圧ガマシリンダー付アームを取り付けた斜視図である
（図６）
本発明の高圧ガスシリンダー付アームを取り付けたセンターレールの平面図である
（図７）
本発明の高圧ガスシリンダー付アームの使用状態を示す正面図である
（図８）
本発明の高圧ガスシリンダー付アームの使用状態を示す斜視図である
（図９）
本発明のセンターレールと他の使用状態を示す断面図である。
（図１０）
本発明のミュート部分の左側の拡大斜視図である
（図１１）
本発明のミュート部分の１ヶ所後方からの斜視図である
（図１２）
本発明のミュート部分の低音部のミュートブロックの斜視図である
（図１３）
本発明のミュート部分、ピアノ中音部のミュートブロックの斜視図である
（図１４）
本発明のミュート部分、ピアノ高音部のミュートブロックの斜視図である
（図１５）
本発明のワイヤーガイドホルダー使用状態の断面図である。
（図１６）
本発明のワイヤーガイドホルダー使用状態の斜視図である。
（図１７）
本発明のホンキートンク部分、ピアノ中音部の拡大斜視図である
（図１８）
本発明のホンキートンク部分の１ヶ所後方からの斜視図である
（図１９）
本発明のホンキートンク部分の使用状態を示す断面図である
（図２０）
本発明の使用状態を示すピアノ高音部の断面図である
（図２１）
本発明のワイヤーペダルの使用状態を示す斜視図である
（図２２）
本発明のワイヤーペダルの使用状態を示す側面図である
（図２３）
本発明のハーモニック部分のピアノ中低音部分の後方からの斜視図である
（図２４）
本発明のハーモニック部分ピアノ低音部後方からの拡大斜視図である
（図２５）
本発明のハーモニック部分ハーモニックブロックの正面図である
（図２６）
本発明のハーモニック部分ハーモニックブロックの側面図である
（図２７）
本発明のビブラート部分全体の斜視図である
（図２８）
本発明の譜面台部分全体の正面図である
（図２９）
本発明の譜面台の後方からの拡大斜視図である
（図３０）
本発明を起動させるためのボリュームペダル斜視図である
（図３１）
本発明を起動させるためのボリュームペダルの右側面図である
（図３２）
本発明のセンターレール取付金具の応用例のアダプター後方からの斜視図
（図３３）
本発明のセンターレール取り付金具の応用例左側である
（図３４）
本発明のセンターレール取り付金具応用例の取り付けの左側斜視図
（図３５）
本発明のセンターレール取り付け金具応用例の取り付けの右側斜視図
（図３６）
本発明のセンターレール取り付け金具応用例の取り付け左側斜視図。
（図３７）
本発明応用例ワイヤー固定リングの斜視図。
（図３８）
本発明応用例ワイヤー固定リングの左側面図。
（図３９）
本発明応用例ワイヤー固定リングの使用状態の斜視図。
（図４０）
本発明応用例ピアノの高音部ミュートロッド２４に直接ワイヤー固定リング６７を取り付けた断面図。
（図４１）
本発明ワイヤーホルダー付固定リングの組立て斜視図
（図４２）
本発明ワイヤーホルダー付固定リングの正面図
（図４３）
本発明ワイヤーホルダー付固定リングの使用状態を示す斜視図
（図４４）
本発明単一サポートセットの組立て斜視図
（図４５）
本発明単一サポートセットの使用状態を示す斜視図
（図４６）
本発明パッキンの斜視図
（図４７）
本発明パッキンの軸受１８に使用状態を示す斜視図
（図４８）
本発明パッキンの軸受１８に使用状態を示す、正面図
（図４９）
本発明パッキンの固定リング６８に使用状態を示す斜視図
（図５０）
本発明パッキンの固定リング６８に使用状態を示す正面図
（図５１）
本発明コピー用紙の斜視図
【付号の説明】
１  ピアノ本体
１ａ  ピアノ鍵盤
２  センターレール
２ａ  センターレール取り付け穴左
２ｂ  センターレール取り付け穴右
２ｃ  アーム取り付けメタル奥
２ｄ  アーム取り付けメタル手前
２Ｅ  アーム固定ネジ穴
２Ｆ  センターレール手前側面
２Ｇ  センターレール奥側面
２Ｈ  高圧ガスシリンダー取り付けメタル
３  ピアノ側板
４  センターレール取り付け金具左
４ａ  センターレール取り付け部分
４ｂ  下側折り曲げ部分
４ｃ  金具取り付けネジ
４ｄ  手前プレート
４Ｅ  譜面台アーム差し込みホール
４Ｆ  モーターアーム取り付けホール
５  センターレール取り付け金具右
５ａ  センターレール取り付け部分
５ｂ  下側折り曲げ部分
５ｃ  金具取り付けネジ
６  モーターフラワーアーム
６ａ  アーム取り付け部分
６ｂ  アームモーター側
６ｃ  固定ネジ
６ｄ  アーム取り付け側
６Ｅ  電気の配線
６Ｆ  ボリュームペダル５７側の５７ｄに連結
７  ピアノ譜面台ホルダー右
８  ピアノ譜面台ホルダー左
９  センターレールアーム奥
９ａ  取り付けメタルピン
１０  センターレールアーム手前
１０ａ  取り付けメタルピン
１０ｂ  アーム固定ネジ穴
１０ｃ  アーム固定ネジスプリング
１１  センターレールアーム固定ネジ
１２  センターレールアーム奥、手前、高圧ガスシリンダー、アームヘッド、の取り付けピン
１３  アームヘッド
１３ａ  緩衝部材
１３ｂ  アームヘッド本体
１３ｃ  アームヘッド取り付け回転土台
１４  高圧ガスシリンダー
１４ａ  本体
１４ｂ  シリンダー部分
１５  取り付け球形ピン
１６  ピアノの大屋根
１７  ピアノの大屋根突揚棒
１８  ミュートロッドの軸受
１８ａ  ブッシングクロス
１８ｂ  ネジ
１９  ピアノのダンパーワイヤーガイドホルダー
２０  ピアノのハンマー
２１  ピアノのダンパー
２２  ピアノのダンパーワイヤー
２３  ピアノのダンパーフェルト
２４  ミュートロッド
２４ａ  アーム
２４ｂ  アームのつめ
２４ｃ  ミュートロッド左端
２５  ミュートロッドのサポート
２５ａ  サポート本体
２５ｂ  差し込み長さ調整部分のアーム
２５ｃ  サポート固定ネジ
２５ｄ  長さ固定ネジ
２５Ｅ  ミュートバー固定ネジ
２５Ｆ  ブッシングクロス
２５Ｇ  スプリング
２５Ｈ  緩衝部材
２６  ピアノの鍵盤蓋
２７  ピアノのチューニングピン
２８  ピアノの大屋根蝶番
２９  ピアノの大屋根突揚棒受皿
３０  ピアノの大屋根手前
３１  ピアノの響板
３２  ピアノの拍子木右
３３  ピアノの拍子木左
３４  ピアノのカギ穴
３５  ミュートバー
３５ａ  ワイヤー固定ネジ
３５ｂ  ワイヤー差し込み穴
３６  ピアノの低音部の駒
３７  ピアノのフレームのボルト
３８  ピアノのフレームの穴
３９  ピアノの駒ピン
４０  ミュートワイヤー
４１  ミュートブロック
４１ａ  固定ネジ
４１ｂ  フェルト又は緩衝部材
４２  ピアノの弦
４２ａ  アグラフ又はベアリングから駒までの間で実際鳴る所
４３  ピアノのアグラフ
４４  ピアノの中、高音部の駒
４５  ペダルワイヤー
４５ａ  ワイヤー
４５ｂ  ワイヤー端の鉛
４５ｃ  スプリング
４５ｄ  ワイヤーサポート
４５Ｅ  ワイヤーサポートのつめ
４５Ｆ  ワイヤーホース
４５Ｇ  ワイヤーホースナット
４５Ｈ  ワイヤーホーススクリュー
４５Ｉ  ４５Ｉから４５Ｊに連結
４５Ｊ  ４５Ｊから４５Ｉに連結
４６  ワイヤーペダル
４６ａ  取り付けメタル
４６ｂ  取り付けピン
４６ｃ  バネ取り付けピン
４６ｄ  ペダル台
４６Ｅ  ペダルカバー
４６Ｆ  ペダル高さ調整ネジ
４６Ｇ  ペダル深さ調整ネジ
４６Ｈ  緩衝部材
４６Ｉ  スクリューサポート
４６Ｊ  つめ
４６Ｋ  ワイヤーホースホルダー
４６Ｌ  バネ
４６Ｍ  緩衝部材
４６Ｎ  すべり取め部材
４６Ｏ  円盤溶接ナット
４７  ピアノのフレーム
４７ａ  ピアノのフレームのベアリング部分
４８  ホンキートンクワイヤー
４８ａ  緩衝部材
４９  ハーモニックロッド
４９ａ  つめ付アーム
４９ｂ  軸受
４９ｃ  ブッシングクロス
４９ｄ  ネジ
５０  ハーモニックバー
５０ａ  ハーモニックワイヤー
５０ｂ  ワイヤー固定ネジ
５０ｃ  ワイヤー差し込み穴
５１  ハーモニックバー軸受
５１ａ  先端部分
５１ｂ  ブッシングクロス
５１ｃ  ネジ
５２  ハーモニックブロック
５２ａ  緩衝部材
５２ｂ  固定ネジ
５３  ハーモニックロッドサポート
５３ａ  固定ネジ
５３ｂ  先端部分
５４  ハーモニックバーサポート
５４ａ  固定ネジ
５４ｂ  先端部分緩衝部材付
５５  ハーモニックペダルワイヤー
５５ａ  ワイヤー
５５ｂ  ワイヤー先端の鉛
５５ｃ  スプリング
５５ｄ  サポート
５５Ｅ  ワイヤーホース
５５Ｆ  ５５Ｆからペダル４６側の４５Ｉに連結
５６  フラワーモーター
５６ａ  モーター
５６ｂ  回転テーブル
５６ｃ  ワイヤー差し込み穴
５６ｄ  羽根ワイヤー
５６Ｅ  羽根
５７  ボリュームペダル
５７ａ  ペダル手前部分
５７ｂ  ペダル奥部分
５７ｃ  すべり止めボタン
５７ｄ  モーターアーム６の配線６Ｆに連結
５８  譜面台アーム
５８ａ  取り付けサポート
５８ｂ  中間サポート
５８ｃ  譜面台サポート
５８ｄ  取り付けアーム下
５８Ｅ  取り付けアーム上
５８Ｆ  譜面台アーム上
５８Ｇ  譜面台アーム下
５８Ｈ  アーム取り付けネジピン
５８Ｉ  譜面台ホルダー
５８Ｊ  ホルダー固定ネジ
５８Ｋ  アーム取り付け、差し込みパイプ
５８Ｌ  取り付けアーム上のつめ
５８Ｍ  取り付けアーム下のつめ
５８Ｎ  譜面台アーム上のつめ
５８Ｏ  譜面台アーム下のつめ
５８Ｐ  アームスプリング
５９  譜面台
６０  譜面台サポート
６０ａ  回転メタル
６０ｂ  固定ネジ
６１  外付用センターレール取り付け金具左
６１ａ  内側緩衝部材
６１ｂ  固定ネジ穴奥
６１ｃ  固定ネジ穴手前
６２  アダプター金具左
６２ａ  内側緩衝部材
６３  外付用センターレール取り付け金具右
６３ａ  内側緩衝部材
６３ｂ  固定ネジ穴奥
６３ｃ  固定ネジ穴手前
６４  アダプター金具右
６４ａ  内側緩衝部材
６５  アダプター金具応用形
６５ａ  内側緩衝部材
６６  ピアノのポール式譜面台ホルダー
６６ａ  ポール
６７  ワイヤー固定リング
６７ａ  ワイヤーとリング同時固定ネジ
６７ｂ  ワイヤーホール
６７ｃ  ゴムのようなすべり止め部材
６８  固定リング
６８ａ  ネジ
６９  ワイヤーガイドホルダー
６９ａ  ワイヤーガイドホルダー先端部分
６９ｂ  ワイヤーガイドホルダー固定ネジ
６９ｃ  ワイヤーガイドホルダー前後調整ネジ
６９ｄ  ワイヤーブッシング
６９Ｅ  ワイヤーガイドホルダー左右調整穴
６９Ｆ  ワイヤーガイドホルダー側面部分
６９Ｇ  ワイヤーホール
６９Ｈ  ローラー
７０  おもり
７０ａ  ネジ
７１  固定リング
７１ａ  ネジ
７１ｂ  ピンホール
７１ｃ  ピンホールブッシングクロス
７２  ワイヤーホルダー
７２ａ  ネジ
７２ｂ  ホール
７２ｃ  ワッシャー
７２ｄ  ピン
７２Ｅ  ピンネジ穴
７２Ｆ  取めネジ又はクギ
７３  グラム．ウェート
７３ａ  ネジ
７３ｂ  穴
７４  単一用サポート
７４ａ  本体
７４ｂ  テール
７４ｃ  スプリング
７４ｄ  緩衝部材
７４Ｅ  ボタン
７４Ｆ  ワイヤーホール
７４Ｇ  ワイヤーホルダー
７４Ｈ  先端部分
７４Ｉ  穴
７４Ｊ  固定ネジ
７４Ｋ  長さ調整固定ネジ
７４Ｌ  ワイヤー前後固定ネジ
７４Ｍ  ワイヤー固定ネジ
７４Ｎ  長さ調整差し込み部分のアーム
７４Ｏ  本体の穴
７５  パッキン
７６  コピー用紙
【図１】
2006023697.tif 000003
【図２】
2006023697.tif 000004
【図３】
2006023697.tif 000005
【図４】
2006023697.tif 000006
【図５】
2006023697.tif 000007
【図６】
2006023697.tif 000008
【図７】
2006023697.tif 000009
【図８】
2006023697.tif 000010
【図９】
2006023697.tif 000011
【図１０】
2006023697.tif 000012
【図１１】
2006023697.tif 000013
【図１２】
2006023697.tif 000014
【図１３】
2006023697.tif 000015
【図１４】
2006023697.tif 000016
【図１５】
2006023697.tif 000017
【図１６】
2006023697.tif 000018
【図１７】
2006023697.tif 000019
【図１８】
2006023697.tif 000020
【図１９】
2006023697.tif 000021
【図２０】
2006023697.tif 000022
【図２１】
2006023697.tif 000023
【図２２】
2006023697.tif 000024
【図２３】
2006023697.tif 000025
【図２４】
2006023697.tif 000026
【図２５】
2006023697.tif 000027
【図２６】
2006023697.tif 000028
【図２７】
2006023697.tif 000029
【図２８】
2006023697.tif 000030
【図２９】
2006023697.tif 000031
【図３０】
2006023697.tif 000032
【図３１】
2006023697.tif 000033
【図３２】
2006023697.tif 000034
【図３３】
2006023697.tif 000035
【図３４】
2006023697.tif 000036
【図３５】
2006023697.tif 000037
【図３６】
2006023697.tif 000038
【図３７】
2006023697.tif 000039
【図３８】
2006023697.tif 000040
【図３９】
2006023697.tif 000041
【図４０】
2006023697.tif 000042
【図４１】
2006023697.tif 000043
【図４２】
2006023697.tif 000044
【図４３】
2006023697.tif 000045
【図４４】
2006023697.tif 000046
【図４５】
2006023697.tif 000047
【図４６】
2006023697.tif 000048
【図４７】
2006023697.tif 000049
【図４８】
2006023697.tif 000050
【図４９】
2006023697.tif 000051
【図５０】
2006023697.tif 000052
【図５１】
2006023697.tif 000053